(57)【特許請求の範囲】
【請求項１】
電柱を所定長さで上端から順次切り出す分割撤去作業で用いられる電柱撤去具であって、
前記電柱に固定される足場部と、
前記足場部に対して高さ変更可能に設けられ、切り出された前記電柱の一部を吊り下げるワイヤーをガイドするガイド部と
を備え、
前記ガイド部は、前記足場部に対して鉛直方向へ摺動可能な支柱を有し、前記支柱の上方に水平に延びるように配置されたアーム部の両端で前記ワイヤーをガイドすることを特徴とする電柱撤去具。
【請求項２】
前記アーム部は、前記支柱に対して水平旋回可能に設けられていることを特徴とする請求項１に記載の電柱撤去具。
【請求項３】
前記アーム部は、一方の端部が前記電柱の方向を含む所定の回動域で旋回可能に設けられていることを特徴とする請求項２に記載の電柱撤去具。
【請求項４】
前記所定の回動域は、９０度の回動域であることを特徴とする請求項３に記載の電柱撤去具。
【請求項５】
請求項１から４の何れか１項に記載の電柱撤去具を用いた電柱撤去工法であって、
前記支柱の上方を前記足場部に合わせるようにして、前記足場部に対する可動範囲内の降下位置に前記ガイド部を配置する工程と、
前記ガイド部が前記降下位置に配置された前記足場部を吊り上げて移動させ、前記電柱の切断予定位置よりも下方に固定する工程と、
前記電柱に固定された前記足場部に対して、前記降下位置から少なくとも前記電柱の切断予定部分の重心位置よりも高位置まで前記ガイド部を持ち上げる工程と
を含むことを特徴とする電柱撤去工法。
【請求項６】
前記足場部を前記電柱の切断予定位置よりも下方に固定する工程は、
前記電柱の先端に滑車を取り付ける工程と、
吊り下げられた前記ガイド部及び前記足場部の高さ位置を、前記滑車に掛けたワイヤーを用いて変更する工程と
を含むことを特徴とする請求項５に記載の電柱撤去工法。
【発明の詳細な説明】
【技術分野】
【０００１】
本発明は、狭小地であっても比較的少ない作業人員で電柱を撤去できる電柱撤去具及び電柱撤去工法に関するものである。
【背景技術】
【０００２】
電柱支持装置によって電柱の上方を支持しながら、電柱切断装置で下方を切断して順次電柱を分割撤去する工法が知られている。このような電柱支持装置及び電柱切断装置を工事車両から延びる支持アームによって支持する構成については、特許文献１に記載がある。
【０００３】
特許文献１の構成では、電柱の長さに合わせて支持アームも長くなり人力では対応できないので、工事車両が用いられている。このため、車両が進入できない狭小地では作業を行うことはできない。
【０００４】
特許文献２には、狭小地で柱状物の撤去を行うための技術が開示されている。特許文献２の構成では、電柱の根元に回動可能な柱状物撤去装置が取り付けられる。柱状物撤去装置は、ベースフレームと、このベースフレームに対して相対回転可能に設けられている回転フレームとから構成されている。ベースフレームは電柱の根元に固定され、回転フレームは切り倒される電柱本体側に固定される。このような構成により、ベースフレームと回転フレームとの間で電柱を切断すると、回転フレーム部分の回転によって切断された電柱本体側を安全に倒すことが可能となる。
【０００５】
また、特許文献２に紹介されている従来例として、滑車を備えた吊下げ具を電柱に固定して上端から電柱を分割撤去する工法に関する内容の記載がある。この分割撤去について図を用いて説明する。
【０００６】
図１０は、従来の電柱の撤去工法を示す図である。先ず（Ａ）に示すように、電柱の先端から所定寸法下がった位置に滑車を備えた吊下げ具が配置される。そして滑車に掛けたロープを電柱の切断される側に固定した状態で切断が行われる。続いて（Ｂ）に示すように、切断された電柱の一部がロープを使って下ろされる。このような作業を（Ｃ）、（Ｄ）に示すように繰り返し行い、ある程度短くなった段階で（Ｅ）に示すように根元部を切断し、（Ｆ）に示すように引き倒される。
【先行技術文献】
【特許文献】
【０００７】
【特許文献１】特開２００２−３５９９０８号公報
【特許文献２】特開２００６−６３７３０号公報
【発明の概要】
【発明が解決しようとする課題】
【０００８】
しかしながら、特許文献２のような構成であっても、少なくとも、切断された電柱本体側を横倒しにするためのスペースを確保することが必要である。
【０００９】
また、図１０に示した従来例のように、滑車を設けた吊下げ具を電柱に固定して順次電柱を切り出す場合、電柱を切断する度に吊下げ具の位置を下方へ移す必要がある。しかし、吊下げ具は、切断対象である電柱に固定されるため、電柱切断後は、吊下げ具の方が残存する電柱部分よりも高位置にある。このため、吊下げ具を上方の安定した位置で吊るす
ための支えは存在しない。したがって、柱上で吊下げ具を外し、次の切断のために下方へ移す作業は容易ではない。
【００１０】
そこで、本発明は、狭小地であっても簡易な構成により容易に電柱を撤去することができる電柱撤去具及び電柱撤去工法を提供することを目的とする。
【課題を解決するための手段】
【００１１】
上記目的を達成するために、本発明の電柱撤去具は、電柱を所定長さで上端から順次切り出す分割撤去作業で用いられる電柱撤去具であって、前記電柱に固定される足場部と、前記足場部に対して高さ変更可能に設けられ、切り出された前記電柱の一部を吊り下げるワイヤーをガイドするガイド部とを備えたことを特徴とする。
【００１２】
また、本発明の電柱撤去具は、上記構成に加えて、前記ガイド部は、前記足場部に対して鉛直方向へ摺動可能な支柱を有していることを特徴とする。
【００１３】
また、本発明の電柱撤去具は、上記構成に加えて、前記ガイド部は、前記支柱の上方に水平に延びるように配置されたアーム部の両端で前記ワイヤーをガイドすることを特徴とする。
【００１４】
また、本発明の電柱撤去具は、上記構成に加えて、前記アーム部は、前記支柱に対して水平旋回可能に設けられていることを特徴とする。
【００１５】
また、本発明の電柱撤去具は、上記構成に加えて、前記アーム部は、一方の端部が前記電柱の方向を含む所定の回動域で旋回可能に設けられていることを特徴とする。
【００１６】
また、本発明の電柱撤去具は、上記構成に加えて、前記所定の回動域は、９０度の回動域であることを特徴とする。
【００１７】
また、本発明の電柱撤去工法は、請求項１から４の何れか１項に記載の電柱撤去具を用いた電柱撤去工法であって、前記支柱の上方を前記足場部に合わせるようにして、前記足場部に対する可動範囲内の降下位置に前記ガイド部を配置する工程と、前記ガイド部が前記降下位置に配置された前記足場部を吊り上げて移動させ、前記電柱の切断予定位置よりも下方に固定する工程と、前記電柱に固定された前記足場部に対して、前記降下位置から少なくとも前記電柱の切断予定部分の重心位置よりも高位置まで前記ガイド部を持ち上げる工程とを含むことを特徴とする。
【００１８】
また、本発明の電柱撤去工法は、上記構成に加えて、前記足場部を前記電柱の切断予定位置よりも下方に固定する工程は、前記電柱の先端に滑車を取り付ける工程と、吊り下げられた前記ガイド部及び前記足場部の高さ位置を、前記滑車に掛けたワイヤーを用いて変更する工程とを含むことを特徴とする。
【発明の効果】
【００１９】
以上のように、本発明の電柱撤去具によれば、足場部に対してガイド部が高さ変更可能に設けられるので、運搬に適した高さ設定の状態で移設し、切り出した電柱の一部を吊り下げるのに適した位置に高さを変更できる。
【００２０】
また、本発明の電柱撤去具によれば、上記効果に加えて、ガイド部は、鉛直方向に摺動可能な支柱を有しているので、高さ変更の動作が容易になることに加えて、作業対象との位置関係を直感的に把握することが可能になる。
【００２１】
また、本発明の電柱撤去具によれば、上記効果に加えて、支柱の上方で水平に延びるア
ーム部にワイヤーが掛けられるので、ワイヤーが支柱に干渉することを防止できる。これにより、作業の安全性が向上する。
【００２２】
また、本発明の電柱撤去具によれば、上記効果に加えて、アーム部が水平旋回可能に構成されているので、周辺の状況に応じて水平旋回方向に回避することが可能となる。
【００２３】
また、本発明の電柱撤去具によれば、上記効果に加えて、アーム部が電柱の方向を含む範囲で旋回可能に構成されているので、不用意な動作が行われた場合であっても、勢いが付いて電柱側から大きく外れてしまうことを防止できる。
【００２４】
また、本発明の電柱撤去具によれば、上記効果に加えて、回動域が４分の１周となる９０度に設定されているので、旋回の動きが直感的に把握しやすくなり、正確な動きの予測に基づく安全な操作が可能になる。
【００２５】
また、本発明の電柱撤去工法によれば、電柱の切断予定位置よりも下方に足場部が固定されるので、足場部を切断工具などの足場としても利用できる。また、電柱の切断予定部分の重心よりも上方にガイド部を持ち上げることができるので、切り出された電柱の一部を重心よりも上方の安定した位置で保持することができる。
【００２６】
また、本発明の電柱撤去工法によれば、上記効果に加えて、電柱の先端に別に設けられた滑車によってガイド部及び足場部が持ち上げられるので、予め足場部に対してガイド部が降下位置に配置された状態で固定すると、ガイド部だけを更に持ち上げることができる。これにより、ガイド部の上端を電柱の先端よりも高い位置に持ち上げることが可能となる。
【図面の簡単な説明】
【００２７】
【図１】本発明に係る電柱撤去具の全体斜視図である。
【図２】図１の電柱撤去具のガイド部の旋回構造を示す図である。
【図３】図１の電柱撤去具のガイド部の摺動構造を示す図である。
【図４】図１の電柱撤去具の分解図である。
【図５】図１のＡ−Ａ線で切断した断面図である
【図６】（滑車）吊上げ補助金物の斜視図である。
【図７】電柱撤去工法における電柱撤去具の初期設置の工程を示す図である。
【図８】電柱撤去工法における切断の工程を示す図である。
【図９】電柱撤去工法における電柱撤去具の移設の工程を示す図である。
【図１０】従来の電柱の撤去工法を示す図である。
【発明を実施するための形態】
【００２８】
以下、本発明の実施の形態に係る電柱撤去具及び電柱撤去工法について図を用いて説明する。
【００２９】
＜電柱撤去具の構成について＞
図１は、本発明に係る電柱撤去具１の全体斜視図である。
【００３０】
電柱撤去具１は、足場として電柱１００に固定される足場部２と、この足場部２に対して高さ位置を変更可能に設けられたガイド部１２とから構成されている。なお、説明の便宜のため、足場部２の構成のうち、電柱１００とこの電柱１００に巻きつけるためのベルト又はチェーン等の構成については、点線により模式的にあらわしている。また、切り出した電柱１００を吊り下げるためのワイヤー５０については、このワイヤー５０の経路を一点鎖線で模式的に表している。
【００３１】
足場部２は、電柱１００の側面に接する電柱当接部４と、この電柱当接部４から略水平方向へ延びる２本のフレーム部６とを有している。フレーム部６には、鉛直方向に貫通して摺動孔６ａが形成されている。
【００３２】
一方、ガイド部１２は、フレーム部６の摺動孔６ａに摺動可能に貫通配置される支柱１４を有している。本実施の形態に係る構成では、Ｔ字形を形成するように、アーム部１８の略中間位置に支柱１４が配置されている。
【００３３】
ガイド部１２の支柱１４と足場部２とには、それぞれリング状の係止部８、１６が設けられている。これら係止部８、１６に対してワイヤー５０を引っ掛けることによりウインチ５２（図７参照）による遠隔操作が可能となる。本実施の形態に係る構成では、ワイヤー５０をガイドするために滑車２０が設けられている。
【００３４】
＜電柱撤去具の動作について＞
図２は、図１の電柱撤去具１のガイド部１２の旋回構造を示す図である。ここでは、１つの配置を重ねて示しており、一方を実線で表し、他方を破線で表している。
【００３５】
電柱撤去具１のガイド部１２では、支柱１４に対してアーム部１８が水平方向へ旋回可能に構成されている。このアーム部１８の水平旋回可能な範囲は、所定の回動範囲に制限されている。本実施の形態に係る構成では、アーム部１８の一端を電柱１００に向けた配置を中心として両方向へ同程度の回動域を有している。
【００３６】
このように、アーム部１８が電柱１００の方向を含む回動域で水平旋回可能に構成されているので、切り出された電柱１００の一部が残存する電柱１００から離れて大きく回動することがない。これにより、旋回の勢いが付いてしまう前に、回動を規制する事ができるので、万一不用意な操作が行われた場合であっても、安全性は確保される。
【００３７】
図３は、図１の電柱撤去具１のガイド部１２の摺動構造を示す図である。電柱撤去具１のガイド部１２の支柱１４は、足場部２に形成された摺動孔６ａに対して摺動可能に構成されている。
【００３８】
これにより、足場部２に対するアーム部１８の相対的な高さを状況に応じて選択して配置できる。ここでは、最も下方に降下した状態を破線で表し、最も上方に上昇した状態を実線で表している。
【００３９】
これら所定の高さは、足場部２及び支柱１４を共に水平方向へ貫通配置されるピンによって保持される。
【００４０】
図４は、図１の電柱撤去具１の分解図である。
【００４１】
電柱撤去具１は、ガイド部１２を構成するアーム部１８と支柱１４とが分離可能に構成されている。
【００４２】
これにより、作業環境に合わせて異なる形状のアーム部１８へ交換することも可能である。例えば、長さの異なるアーム部１８に交換できる。また、水平方向への旋回域が異なるアーム部１８への交換も可能である。
【００４３】
次にアーム部１８の旋回域を制限する構造について図５を用いて説明する。
【００４４】
図５は、図１のＡ−Ａ線で切断した断面図である。
【００４５】
内側に見える円形の部材はアーム部１８の下端の構造である。このアーム部１８の下端の外側の矩形部分は支柱１４の上端の構造である。
【００４６】
図５に見て取れるように、アーム部１８及び支柱１４を共に貫通する固定ピン２２によって両者の連結状態が保持される。この固定ピン２２が貫通するアーム部１８側の貫通孔１８ａは、水平方向へ湾曲して延びる長孔によって形成されている。
【００４７】
このように、アーム部１８側の貫通孔１８ａの形成されている範囲によってアーム部１８の旋回可能な範囲が制限される。本実施の形態では、９０度の回動を許容するように構成されている。
【００４８】
図６は、吊上げ補助金物３０の斜視図である。ここに示した吊上げ補助金物３０は、電柱撤去具１（図１参照）を電柱１００上に吊り上げるために用いられる。ここでは説明の便宜のため、電柱１００に架け渡すベルト又はチェーンなどの固定部材の構成については、破線によって模式的に表している。
【００４９】
電柱撤去具１の足場部２と同様に、吊上げ補助金物３０にも電柱当接部３２が設けられている。電柱当接部３２から上方へ屈曲するＬ型の支持部３４を有している。この支持部３４の上端には、水平方向に回転軸を有する滑車３６が設けられている。
【００５０】
＜電柱撤去工法について＞
図７は、電柱撤去工法における電柱撤去具１の初期設置の工程を示す図である。
【００５１】
電柱撤去工法は大きく分けると、この図７に示すような電柱撤去具１を電柱１００に設置する初期設置の工程の他に、電柱１００を切断する工程、切断後に電柱撤去具１を新たな切断位置に移動させる移設のための工程に分かれる。後者の２つの工程については、後に図８、図９を用いて説明する。なお、これら図７〜９を用いた工法の説明において、電柱撤去具１の詳細な構成については、適宜図１を参照するものとする。
【００５２】
初期設置の工程には、以下に示すように、更に３つの工程が含まれる。
【００５３】
図７（ａ）は、電柱撤去具１の足場部２に対してガイド部１２を降下させる工程を示している。
【００５４】
電柱１００上に吊り上げるためのワイヤー５０は、電柱１００の根元に設置されたウインチ５２によって操作される。このワイヤー５０は、図６に示した吊上げ補助金物３０の滑車３６を介して、電柱撤去具１の足場部２に設けられた係止部１６に連結される。
【００５５】
上述のように、ガイド部１２を降下位置に配置しておくと、電柱撤去具１の重心を下げることができるので、足場部２による吊上げ状態が安定する。
【００５６】
図７（ｂ）は、電柱１００の上方に吊上げられた電柱撤去具１の足場部２を電柱１００に固定する工程を示している。
【００５７】
この固定位置は、電柱１００の切断予定位置の下方近傍である。切断予定位置の下方に足場部２を固定することにより、切断工具の足場としても利用する事が可能である。
【００５８】
図７（ｃ）は、足場部２に対してガイド部１２を上方へ持ち上げる工程を示している。
【００５９】
このとき、ワイヤー５０の連結先は、足場部２の係止部１６からガイド部１２の支柱１４に設けられた係止部８に繋ぎ替えられる（図１参照）。
【００６０】
この繋ぎ替えられるガイド部１２の係止部８は、上端から距離を置いた位置に設けられているので、図７（ｃ）に示すように、電柱１００の上端よりも上方へアーム部１８を持ち上げることが可能となる。
【００６１】
これにより、切断される電柱１００の一部の上方を安定した状態で保持する事が可能となる。
【００６２】
図８は、電柱撤去工法における切断の工程を示す図である。
【００６３】
図８（ｄ）は、切断される電柱１００の上方を固定具５４で支持し、下方を切断する工程を示している。
【００６４】
このように、上方を支持しながら切断するので、安全に作業を行う事ができる。
【００６５】
ところで、切断作業においては、切断の最終段階が最も不安定な状態となり、注意を要する。すなわち、切断後半では、電柱１００自身の重量によって切断面が工具を圧迫する力が次第に増大する。また、使用する工具によっては、電柱１００の近傍に十分なスペースが確保できないために僅かに切残しが生じる場合がある。このような場合は、最後に打撃を加えて折損させることにより切断を完了することになる。
【００６６】
本実施の形態に係る構成では、吊下げ用のワイヤー５０によって切断される電柱１００の上方を支持しながら切断作業が行われるので、切断面による圧迫を軽減することができる。加えて、打撃による折損作業の際にも、落下を防止する事ができる。
【００６７】
図８（ｅ）は、切断された電柱１００の一部を、ウインチ５２の操作によって降下させる工程を示している。
【００６８】
この工程では、図２に示したように、電柱撤去具１のアーム部１８が支柱１４に対して水平旋回可能に構成されているので、周囲の装置や障害物を旋回動作によって回避しながら安全に降下させることが可能である。
【００６９】
図９は、電柱撤去工法における電柱撤去具１の移設の工程を示す図である。
【００７０】
図９（ｆ）は、切断を完了した電柱撤去具１のガイド部１２を足場部２に対して降下させる工程を示している。
【００７１】
これにより、図７（ａ）の工程と同様に重心を下げることができるので、安定した状態で移動させることができる。
【００７２】
図９（ｇ）は、電柱撤去具１にワイヤー５０を連結する工程を示している。
【００７３】
図６に示した吊上げ補助金物３０を残存する電柱１００の上端に取り付けた後、この吊上げ補助金物３０を介して足場部２の係止部１６にワイヤー５０が連結される。このように吊り下げ作業の準備が行われる。
【００７４】
吊上げ補助金物３０は、シンプル且つ軽量に構成されているので、バケット車などを導
入できないような狭小地における作業であっても、作業者が電柱１００に昇って設置することが容易である。
【００７５】
図９（ｈ）は、ウインチ５２を用いて新たな切断位置に電柱撤去具１を移設する工程を示している。
【００７６】
切断位置は、図７（ｂ）の工程と同様の基準で決定される。
【００７７】
この移設の工程においても、アーム部１８が支柱１４に対して水平旋回できることによって、電柱１００上の障害などを回避することにより安全に作業を行う事ができる。
【００７８】
図９（ｉ）は、足場部２に対してガイド部１２を持ち上げる工程を示している。
【００７９】
この移設後にガイド部１２を持ち上げる工程は、図７（ｃ）に示した工程と同様である。
【００８０】
アーム部１８よりも下方の支柱１４に設けられた係止部８にワイヤー５０を繋ぎ替えて吊上げられるので、アーム部１８を電柱１００の上方まで持ち上げることができる。
【００８１】
以降は、図８（ｄ）〜図９（ｉ）の工程を繰り返すことにより、順次所定長さの電柱１００が切り出される。
【００８２】
以上に述べてきたような構成は本発明の一例であり、以下のような変形例も含まれる。
【００８３】
上記の実施の形態では、足場部２に形成された摺動孔６ａに対して、ガイド部１２の支柱１４が鉛直方向に摺動可能に設けられている構成を例として示した。しかし、足場部２に対して高さを変更することができる構成であれば、このような摺動機構でなくても構わない。例えば、支柱が中間位置で屈曲することによりアーム部１８を下方へ下げることができるような構成でも構わない。
【００８４】
また、上記の実施の形態では、アーム部１８の両端のそれぞれに滑車２０が設けられている構成を例として示した。しかし、ワイヤー５０以外にロープを用いる場合であれば、ガイド溝のような簡易な構成であっても構わない。
【００８５】
また、上記の実施の形態では、支柱１４の延長方向がアーム部１８の略中央と交差するＴ字型に形成されている構成を例として示した。しかし、支柱１４の両側に延びる構造であれば、アーム部１８の中央を外れる位置に支柱１４が配置されていても構わない。
【００８６】
また、上記の実施の形態では、アーム部１８の所定の回動域が、電柱１００の方向を中心とした±４５度の範囲に限られる構成を例として示した。しかし、少なくとも、電柱１００に向ける方向を含んでいれば、均等に４５度の振れ幅でなくても構わない。例えば、電柱１００の向きから何れか片側へ９０度の回動域であっても構わない。さらに、全周に渡って回転可能な構成であっても構わない。
【産業上の利用可能性】
【００８７】
本発明の電柱撤去具及び電柱撤去工法は、狭小地であっても少人数の作業員で容易に電柱を撤去する事ができるので、同様に、煙突や鉄塔などの構造物の撤去作業においても有用である。
【符号の説明】
【００８８】
１        電柱撤去具
２        足場部
４        電柱当接部
６        フレーム部
６ａ      摺動孔
８        係止部
１２      ガイド部
１４      支柱
１６      係止部
１８      アーム部
１８ａ    貫通孔
２０      滑車
２２      固定ピン
３０      吊上げ補助金物
３２      電柱当接部
３４      支持部
３６      滑車
５０      ワイヤー
５２      ウインチ
１００    電柱
【図１】
0006894101.tif 000002
【図２】
0006894101.tif 000003
【図３】
0006894101.tif 000004
【図４】
0006894101.tif 000005
【図５】
0006894101.tif 000006
【図６】
0006894101.tif 000007
【図７】
0006894101.tif 000008
【図８】
0006894101.tif 000009
【図９】
0006894101.tif 000010
【図１０】
0006894101.tif 000011